(57)【要約】【課題】高速でマットレスを膨張させることができ、かつ、そのマットレスの空気圧を所望の圧力値まで正確に増大させることができる可膨張式ベッドを提供すること。【解決手段】可膨張式ベッドは、ベッド枠組みアセンブリ（３）と、少なくとも一つの空気室（Ｅ、Ｅ’、Ｅ’’）を有するマットレスアセンブリ（１、１’、１’’、１Ａ）と、ベッド枠組みアセンブリ（３）上に配置された電気式エアポンプユニット（２、２’）とを含む。電気式エアポンプユニット（２、２’）は、空気室（Ｅ、Ｅ’、Ｅ’’）の初期の膨張を実行するための遠心式ポンプ装置（２１）と、空気室（Ｅ、Ｅ’、Ｅ’’）の後続の膨張を実行するためのダイアフラムポンプ装置（２２）と、遠心式ポンプ装置（２１）と空気室（Ｅ、Ｅ’、Ｅ’’）との間の流体連通を可能にし、また、中断させるよう機能するコントロールバルブ（２５）とを含む。【選択図】図２２
2008119473.tif 000002
【特許請求の範囲】
【請求項１】
可膨張式ベッドであって：
ベッド枠組みアセンブリ；
少なくとも一つの空気室を有するマットレスアセンブリ；及び
前記ベッド枠組みアセンブリと関連する電気式エアポンプユニット；を含み、
前記電気式エアポンプユニットは：
前記空気室を膨張させるために前記マットレスアセンブリにおける前記空気室と流体連通する遠心式ポンプ装置；
前記遠心式ポンプ装置と前記空気室との間の流体連通を可能にし、また、中断させるよう作動する第一コントロールバルブ；及び
前記空気室を膨張させるために前記空気室と流体連通するダイアフラムポンプ装置を含む、
ことによって特徴付けられる可膨張式ベッド。
【請求項２】
前記エアポンプユニットは、その中に前記遠心式ポンプ装置及び前記ダイアフラムポンプ装置を受け入れるためのハウジングを更に含む、
ことを特徴とする請求項１に記載の可膨張式ベッド。
【請求項３】
前記マットレスアセンブリは、相互に流体連通しない二つの前記空気室で形成され；かつ
前記エアポンプユニットは：
前記ハウジング内に形成され、かつ、前記遠心式ポンプ装置と流体連通する第一転送室と；前記ハウジング内に形成され、かつ、前記第一転送室及び前記空気室と流体連通する第二転送室と；前記第一転送室と前記第二転送室との間の流体連通を可能にし、また、中断させるよう作動する前記第一コントロールバルブと；前記第二転送室と前記空気室の個々のものとの間の流体連通を可能にし、また、中断させるよう作動する前記第二コントロールバルブと、を更に含む、
ことを更に特徴とする請求項２に記載の可膨張式ベッド。
【請求項４】
前記エアポンプユニットは、前記遠心式ポンプ装置、前記ダイアフラムポンプ装置並びに前記第一及び第二コントロールバルブの操作を制御するよう作動するコントローラを更に含む、
ことを更に特徴とする請求項３に記載の可膨張式ベッド。
【請求項５】
前記エアポンプユニットは、圧力センサ及びセンサ接続管を更に含み、
前記圧力センサは、前記第二転送室内の空気圧を検出するために前記センサ接続管を介して前記第二転送室と流体連通する、
ことを更に特徴とする請求項３に記載の可膨張式ベッド。
【請求項６】
前記エアポンプユニットは、圧力センサ及びセンサ接続管を更に含み、
前記圧力センサは、前記センサ接続管を介して前記空気室と流体連通する、
ことを特徴とする請求項１に記載の可膨張式ベッド。
【請求項７】
前記ダイアフラムポンプ装置は：
バルブ穴と共に形成されたバルブシート；
ダイアフラムバルブ；
前記ダイアフラムバルブに固定的に接続されたバルブロッド；
前記バルブシートにおける前記バルブ穴をクローズすべく前記ダイアフラムバルブをバイアスさせるためのコイル状圧縮スプリング；及び
前記バルブロッドを動かすための駆動ユニットを含む、
ことを特徴とする請求項１に記載の可膨張式ベッド。
【請求項８】
前記駆動ユニットは：
前記バルブシートに対して枢動自在であり、カム面及び扇形歯車部分を有するカム部材であり、前記バルブロッドの端が、前記カム部材の前記カム面と接触するよう前記圧縮スプリングによりバイアスされるところのカム部材；
その中心軸の周りを回転自在であり、前記扇形歯車部分をかみ合わせるネジ部分を有する駆動ロッド；
モータシャフトを有するモータ；及び
前記モータシャフトの回転を前記駆動ロッドに伝えるために前記モータシャフトと前記駆動ロッドとを相互接続するトランスミッションユニットを含む、
ことを更に特徴とする請求項７に記載の可膨張式ベッド。
【請求項９】
前記トランスミッションユニットは：
前記モータシャフト上に固定的に軸ざやが付けられた駆動プーリ；
前記駆動ロッド上に固定的に軸ざやが付けられたドリブンプーリ；及び
前記駆動プーリ及び前記ドリブンプーリに向けられたトランスミッションベルトを含む、
ことを更に特徴とする請求項８に記載の可膨張式ベッド。
【請求項１０】
前記マットレスアセンブリは、複数の空気室、及び、前記空気室とそれぞれ流体連通する複数の空気路を含み、前記空気路のそれぞれは、接続端を有し、また、
前記電気式エアポンプユニットは、前記マットレスアセンブリにおける前記空気路の前記接続端を個々にネジ止め可能にかみ合わせる複数の接続部材を含む、
ことを特徴とする請求項１に記載の可膨張式ベッド。
【請求項１１】
前記ベッド枠組みアセンブリは、横壁を含み、
当該可膨張式ベッドは、前記横壁に配置された電気ソケットユニット、及び、前記電気ソケットユニットと前記電気式エアポンプユニットとを電気的に相互接続する電線ユニットを更に含む、
ことを更に特徴とする請求項１０に記載の可膨張式ベッド。
【請求項１２】
前記マットレスアセンブリは、前記ベッド枠組みアセンブリに接し、また、その上に配置される、
ことを特徴とする請求項１に記載の可膨張式ベッド。
【請求項１３】
前記電気式エアポンプユニットは、前記ベッド枠組みアセンブリに接し、また、その上に配置される、
ことを特徴とする請求項１に記載の可膨張式ベッド。
【請求項１４】
少なくとも一つの空気室を有するマットレスアセンブリ；及び
前記空気室を膨張させるための、少なくとも部分的にベッド枠組みアセンブリ内に配置される電気式エアポンプユニットを含む、
可膨張式ベッド。
【請求項１５】
前記エアポンプユニットは、部分的に前記マットレスアセンブリ内に配置される、
ことを特徴とする請求項１４に記載の可膨張式ベッド。
【請求項１６】
前記エアポンプユニットは、ダイアフラムポンプ装置である、
ことを特徴とする請求項１４に記載の可膨張式ベッド。
【請求項１７】
ベッド枠組みアセンブリ；
前記ベッド枠組みアセンブリに接し、また、その上に配置され、かつ、少なくとも一つの空気室を有するマットレスアセンブリ；及び
前記空気室を膨張させるための、少なくとも部分的に前記マットレスアセンブリ内に配置される電気式エアポンプユニットを含む、
可膨張式ベッド。
【請求項１８】
ベッド枠組みアセンブリ；
前記ベッド枠組みアセンブリに接し、また、その上に配置され、かつ、トップシートと、前記トップシートの下に配置されるボトムシートと、相互に流体連通しない複数の空気室を形成すべく前記トップ及び前記ボトムシートを相互接続する複数の周囲シートとを含み、前記空気室のそれぞれが前記トップシートと、前記ボトムシートと、前記周囲シートの個々のものとの間に規定されるところのマットレスアセンブリ；及び
少なくとも部分的に前記ベッド枠組みアセンブリ内に配置され、かつ、前記空気室と流体連通する電気式エアポンプユニットであり、当該電気式エアポンプユニットは、前記空気室の空気圧が異なるように前記空気室を個々に膨張させるよう作動するところの電気式エアポンプユニット、
によって特徴付けられる可膨張式ベッド。
【請求項１９】
前記マットレスアセンブリは、それぞれ前記空気室内に配置された複数の補強ユニットを更に含み、前記補強ユニットのそれぞれは、一列のプルベルトを含み、前記プルベルトのそれぞれは、前記トップ及びボトムシートに固定的に接続される、
ことを特徴とする請求項１８に記載の可膨張式ベッド。
【請求項２０】
前記補強ユニットのそれぞれは、対応する前記プルベルトの列の周りに配置され、それを貫通する複数の通気孔と共に形成され、前記トップ及びボトムシートに固定的に接続される周囲ベルトを更に含む、
ことを更に特徴とする請求項１９に記載の可膨張式ベッド。
【請求項２１】
前記トップ及び前記ボトムシート、前記周囲シート、並びに、前記補強ユニットをその中に受け入れる被覆ユニットであり、
前記被覆ユニットは、上部被覆部材、下部被覆部材、並びに、前記上部及び下部被覆部材を相互接続するジッパーユニットを含み、
前記ジッパーユニットは、前記上部及び下部被覆部材にそれぞれ取り付けられ、取り外し可能に相互接続される上半及び下半ジッパーを含むところの被覆ユニット、
によって特徴付けられる請求項１８に記載の可膨張式ベッド。
【請求項２２】
前記被覆ユニットは、前記上部被覆部材と前記下部被覆部材との間に配置される周囲部材を更に含み、前記周囲部材は、矩形フレームを形成するために配置される四つのスポンジ棒と、前記矩形フレームの四隅をそれぞれ支持するために前記上部被覆部材と前記下部被覆部材との間に配置される四つのコーナー位置決め部材とを含み、前記コーナー位置決め部材のそれぞれは、前記スポンジ棒の隣接する二つの何れもが相互に相対して位置付けられるよう前記スポンジ棒の対応するものに挿入される一体位置決めポストと共に形成される、
ことを更に特徴とする請求項２１に記載の可膨張式ベッド。
【請求項２３】
前記コーナー位置決め部材のそれぞれは、水平で矩形の底板部と、前記底板部の二つの隣接する側部から上に向かって延びるＬ字状の板部とを有し、前記位置決めポストのそれぞれは、前記コーナー位置決め部材の対応するものの前記底板部から上に向かって延びる、
ことを更に特徴とする請求項２２に記載の可膨張式ベッド。
【請求項２４】
前記ベッド枠組みアセンブリは、ベッド枠組み体と前記ベッド枠組み体を覆うためのカバーとを含み、前記被覆ユニットの前記下部被覆部材と前記ベッド枠組みアセンブリの前記カバー及び前記枠組み体とは、それぞれ、それらを貫通する位置合わせした穴と共に形成され、前記電気式エアポンプユニットは、前記下部被覆部材、前記ベッド枠組み体及び前記カバーの前記穴の中に受け入れられる、
ことを更に特徴とする請求項２１に記載の可膨張式ベッド。
【請求項２５】
前記マットレスアセンブリは、二つの前記空気室と共に形成され、前記空気室は、十分に膨張させられた場合、同じ形状及び体積を有する、
ことを特徴とする請求項１８に記載の可膨張式ベッド。
【請求項２６】
前記マットレスアセンブリは、二つの前記空気室と共に形成され、前記空気室は、十分に膨張させられた場合、異なる体積を有する、
ことを特徴とする請求項１８に記載の可膨張式ベッド。
【請求項２７】
前記マットレスアセンブリは、四つの前記空気室と共に形成され、それらのうちの二つは、並置され、かつ、十分に膨張させられた場合に大きな体積を有し、それらのうちの他の二つは、並置され、かつ、十分に膨張させられた場合に小さな体積を有し、前記小さな体積は、前記大きな体積よりも小さく、前記空気室は、マトリックス状に配置される、
ことを特徴とする請求項１８に記載の可膨張式ベッド。
【請求項２８】
前記マットレスアセンブリは、前記空気室とそれぞれ流体連通する複数の空気路を含み、前記空気路のそれぞれは、接続端を有し、かつ、
前記電気式エアポンプユニットは、前記マットレスアセンブリの前記空気路の前記接続端をそれぞれネジ止め可能にかみ合わせる複数の接続部材を含む、
ことを特徴とする請求項１８に記載の可膨張式ベッド。
【請求項２９】
ベッド枠組みアセンブリは、横壁を含み、当該可膨張式ベッドは、前記横壁に配置された電気ソケットユニットと、前記電気ソケットユニット及び前記電気式エアポンプユニットを電気的に相互接続する電線ユニットと、を更に含む、
ことを更に特徴とする請求項２８に記載の可膨張式ベッド。
【請求項３０】
堅いサポートフレームと、前記サポートフレームに接し、また、その上に配置されたトッププレートユニットとを含むベッド枠組みアセンブリであって：
前記サポートフレームは、折り畳まれた状態と折り畳まれていない状態との間で変換可能な第一折り畳み式フレーム部材を含み、前記第一折り畳み式フレーム部材は、複数の平行な非折り畳み式プレートと複数の折り畳み式プレートの対とを含み、前記非折り畳み式プレートの二つの隣接するものの何れもが、前記第一折り畳み式フレーム部材が前記折り畳まれていない状態にあるときに空きスペースを規定すべく、前記折り畳み式プレートの対応する一対を枢動自在に相互接続し、前記折り畳み式プレートのそれぞれは、対応する前記非折り畳み式プレートに枢動自在に個々に接続される外端と枢動自在に相互接続される内端とを有する二つの枢動自在のプレート部分を含み、前記枢動自在のプレート部分は、前記サポートフレームが前記折り畳まれていない状態にあるときに前記非折り畳み式プレートにほぼ垂直であり、かつ、前記サポートフレームが前記折り畳まれた状態にあるときに前記非折り畳み式プレートにほぼ平行であること、
によって特徴付けられるベッド枠組みアセンブリ。
【請求項３１】
前記トッププレートユニットは、前記第一折り畳み式フレーム部材における前記空きスペースを覆う、
ことを特徴とする請求項３０に記載のベッド枠組みアセンブリ。
【請求項３２】
前記トッププレートユニットは、取り外し可能に相互接続され、かつ、前記サポートフレームにおける前記空きスペースをそれぞれ覆う、複数の同一平面上のトッププレートを含む、
ことを更に特徴とする請求項３１に記載のベッド枠組みアセンブリ。
【請求項３３】
前記サポートフレーム及び前記トッププレートユニットを覆うための繊維でできたカバー、
によって特徴付けられる請求項３０に記載のベッド枠組みアセンブリ。
【請求項３４】
前記カバーは、前記トッププレートユニットに接し、かつ、その上に配置される矩形のトップシートと、前記トップシートの周辺から下に向かって延び、かつ、前記サポートフレーム及び前記トッププレートユニットのアセンブリの周りに配置される周囲シートと、を有する、
ことを更に特徴とする請求項３３に記載のベッド枠組みアセンブリ。
【請求項３５】
前記折り畳み式プレートのそれぞれは、前記折り畳み式プレートの対応するものにおける枢動自在のプレート部分の一方に形成された位置決め穴と、前記第一折り畳み式フレーム部材が前記折り畳まれていない状態にあるときに前記折り畳み式フレーム部材を前記折り畳まれていない状態で維持すべく前記位置決め穴と係合し、かつ、前記第一折り畳み式フレーム部材が前記折り畳まれた状態にあるときに前記位置決め穴から間隔を空けられる、前記折り畳み式プレートの対応するものにおける枢動自在のプレート部分の他方から延びる位置決め突起と、を含む位置決めユニットを有する、
ことを特徴とする請求項３０に記載のベッド枠組みアセンブリ。
【請求項３６】
前記枢動自在のプレート部分のそれぞれは、前記非折り畳み式プレートの対応するものの一端に枢動自在に接続され、前記折り畳み式プレートのそれぞれにおける前記枢動自在のプレート部分は、前記第一折り畳み式フレーム部材が前記折り畳まれていない状態にあるときに、前記枢動自在のプレート部分のそれぞれが前記非折り畳み式プレートの対応するものの他端に向かう方向だけに枢動自在であるような方法で、相互接続される、
ことを特徴とする請求項３０に記載のベッド枠組みアセンブリ。
【請求項３７】
少なくとも一つのピボットユニットと、前記ピボットユニットによって前記第一折り畳み式フレーム部材の端に枢動自在に接続される端を有する第二折り畳み式フレーム部材と、
によって特徴付けられ、
前記第一及び第二折り畳み式フレーム部材は、それぞれ、位置合わせされた上面を有し、
前記ピボットユニットは、前記第一及び第二折り畳み式フレーム部材の一方が、前記第一及び第二折り畳み式フレーム部材の他方の前記上面に対して隣接するよう枢動自在となるように、前記上面に隣接して配置される、
請求項３０に記載のベッド枠組みアセンブリ。
【請求項３８】
前記ピボットユニットは、前記第一及び第二折り畳み式フレーム部材の一方に配置された二つのサイドスリーブと、前記第一及び第二折り畳み式フレーム部材の他方に、かつ、前記サイドスリーブの間に配置されたミドルスリーブと、ピボットピンであり、前記第一及び第二折り畳み式フレーム部材が前記ピボットピンの周りで互いに対して枢動自在となるよう、前記サイドスリーブ及び前記ミドルスリーブを貫通して延びるピボットピンと、を含む、
ことを更に特徴とする請求項３７に記載のベッド枠組みアセンブリ。
【請求項３９】
前記第一折り畳み式フレーム部材の前記空きスペースは、前記非折り畳み式プレートにほぼ垂直な方向に沿って一列に配置される、
ことを特徴とする請求項３０に記載のベッド枠組みアセンブリ。
【請求項４０】
ベッド枠組みアセンブリであって、堅いサポートフレームと、前記サポートフレームに接し、また、その上に配置されるトッププレートユニットと、少なくとも部分的には当該ベッド枠組みアセンブリ内に配置される電気式エアポンプユニットと、を含むベッド枠組みアセンブリであって：
前記サポートフレームは、折り畳まれた状態と折り畳まれていない状態との間で変換可能であり、
前記堅いサポートフレームは、二つの平行な非折り畳み式プレートと、二つの折り畳み式プレートであり、前記サポートフレームが前記折り畳まれていない状態にあるときに空きスペースを規定すべく、当該折り畳み式プレートを相互接続する二つの折り畳み式プレートとを含み、
前記折り畳み式プレートのそれぞれは、前記非折り畳み式プレートに枢動自在に個々に接続される外端と枢動自在に相互接続する内端とを有する二つの枢動自在のプレート部分を含み、
前記枢動自在のプレート部分は、前記サポートフレームが前記折り畳まれていない状態にあるときに前記非折り畳み式プレートにほぼ垂直であり、かつ、前記サポートフレームが前記折り畳まれた状態にあるときに前記非折り畳み式プレートにほぼ平行である、
ことを特徴とするベッド枠組みアセンブリ。
【発明の詳細な説明】
【技術分野】
【０００１】
本発明は、可膨張式ベッドに関し、より具体的には、マットレスアセンブリを膨張させるための内蔵の電気式エアポンプユニットを有する可膨張式ベッドに関する。
【背景技術】
【０００２】
従来の可膨張式ベッドは、可膨張式ベッドのマットレスを膨張させるための内蔵の電気式エアポンプユニットを含む。その電気式エアポンプユニットが遠心式ポンプである場合、それは、高速でそのマットレスを膨張させることができるが、そのマットレスにおける空気圧を、所望の圧力値まで正確に増大させることができない。反対に、電気式エアポンプユニットがダイアフラムポンプである場合、それは、そのマットレスの空気圧を所望の圧力値まで正確に増大させるべくそのマットレスを膨張させることができるが、その膨張速度は遅い。
【発明の開示】
【発明が解決しようとする課題】
【０００３】
本発明の目的は、高速でマットレスを膨張させることができ、かつ、そのマットレスの空気圧を所望の圧力値まで正確に増大させることができる、改良されたエアポンプユニットを含む可膨張式ベッドを提供することである。
【課題を解決するための手段】
【０００４】
本発明に従って、可膨張式ベッドは、ベッド枠組みアセンブリと、少なくとも一つの空気室を有するマットレスアセンブリと、ベッド枠組みアセンブリ上に配置された電気式エアポンプユニットとを含む。そのエアポンプユニットは、その空気室の初期の膨張を実行するための遠心式ポンプ装置と、その空気室の後続の膨張を実行するためのダイアフラムポンプ装置と、その遠心式ポンプ装置とその空気室との間の流体連通を可能にし、また、中断させるよう作動するコントロールバルブとを含む。
【０００５】
その空気室を所望の体積まで膨張させるために、その遠心式ポンプ装置は、その所望の体積の約９０％まで高速にその空気室が膨らむまで、最初に操作され得る。その後、ダイアフラムポンプ装置は、その所望の体積までその空気室を低速で正確に膨張させるよう操作される。
【発明を実施するための最良の形態】
【０００６】
本発明におけるこれら及び他の特徴及び有利点は、添付図面を参照しながら、本発明の好適な実施例の以下の詳細な説明において明らかになる。
【０００７】
好適な実施例に関連して本発明がより詳細に説明される前に、全ての開示を通じて同様の要素及び構造が同様の参照番号で指定される点に留意すべきである。
【実施例】
【０００８】
図１及び図２を参照すると、本発明に従った可膨張式ベッドの第一の好適な実施例は、マットレスアセンブリ１、被覆ユニット、電気式エアポンプユニット２、ベッド枠組みアセンブリ３、及び、二つのクッション部材６を含むクッションユニットを有する。
【０００９】
マットレスアセンブリ１は、矩形のトップシート１１、矩形のボトムシート１２、相互に流体連通されていない二つの空気室（Ｅ）を規定するためにトップシート１１とボトムシート１２とを相互に接続する二つの並置された周囲（サラウンディング）シート１３、及び、空気室（Ｅ）内にそれぞれ配置される二つの補強ユニット１４を有する。十分に膨張させた場合、空気室（Ｅ）は、同じ形状及び体積を有する。そのようにして、マットレスアセンブリ１は、それぞれが周囲シート１３の各一個を有し、かつ、空気室（Ｅ）の各一個を規定する二つのマットレス１０を有する。マットレス１０のそれぞれは、一人の人間を支えるために使用されてもよい。空気室（Ｅ）のそれぞれは、トップシート１１及びボトムシート１２と、対応する周囲シート１３との間に規定される。補強ユニット１４のそれぞれは、一列のプルベルト１４１、及び、その一列のプルベルト１４１の周りに配置され、かつ、複数の通気孔１４３が自身を通して形成される周囲ベルト１４２を含む。プルベルト１４１及び周囲ベルト１４２のそれぞれは、トップシート１１及びボトムシート１２に固定的に接続される。トップシート１１、ボトムシート１２、周囲シート１３、及び、補強ユニット１４は、被覆ユニット内に受け入れられる。その被覆ユニットは、上部被覆部材１５、下部被覆部材１６、及び、周囲部材１７を含む。上部被覆部材１５及び下部被覆部材１６は、ジッパーユニットにより相互接続される。そのジッパーユニットは、上部被覆部材１５及び下部被覆部材１６にそれぞれ取り付けられ、かつ、取り外し可能に相互接続される上半ジッパー１８及び下半ジッパー１８’を有する。クッション部材６は、上部被覆部材１５とトップシート１１との間に配置される。ベッド枠組みアセンブリ３は、矩形のベッド枠組み体３１と、ベッド枠組み体３１を被覆するためのカバー３２とを含む。周囲部材１７は、上部被覆部材１５と下部被覆部材１６との間で被覆ユニット内に配置される矩形のフレームを形成するために並べられた四つのスポンジ棒１７１と、その矩形のフレームの四隅をそれぞれ支えるための四つのコーナー位置決め部材１７２（図１には、三つしか表されていない。）とを含む。コーナー位置決め部材１７２のそれぞれは、上部被覆部材１５と下部被覆部材１６との間に配置され、対応するスポンジ棒１７１の穴（図示せず。）に挿入される一体位置決めポスト１７３と共に形成される。図２を更に参照すると、この実施例において、コーナー位置決め部材１７２のそれぞれは、水平で矩形の底板部１７４と、底板部１７４の二つの隣接する側部から上に向かって延びるＬ字状の板部１７５とを有する。位置決めポスト１７３のそれぞれは、対応するコーナー位置決め部材１７２の底板部１７４から上に向かって延びる。下部被覆部材１６、ベッド枠組み体３１、及び、カバー３２は、それぞれ、それら自身を通って形成される位置合わせされた穴１６１、３１１、３２３を有する。電気式エアポンプユニット２は、下部被覆部材１６、ベッド枠組み体３１及びカバー３２における穴１６１、３１１、３２３内に受け入れられ、空気室（Ｅ）の一方の下に配置され、かつ、空気室（Ｅ）の一方と流体連通され、また、エアチューブ４（図３参照。）を介して他方の空気室（Ｅ）と流体連通される。
【００１０】
図４を参照すると、ベッド枠組みアセンブリ３は、ベッド枠組み体３１、及び、ベッド枠組み体３１を覆うための繊維でできたカバー３２を有する。カバー３２は、ベッド枠組み体３１に接し、また、その上に配置される矩形のトップシート３２１と、トップシート３２１の周辺から下に向かって延び、ベッド枠組み体３１の周りに配置される周囲シート３２２とを有する。
【００１１】
図５を更に参照すると、ベッド枠組み体３１は、堅いサポートフレーム３３と、サポートフレーム３３に接し、また、その上に配置され、プラスチック材料でできた六つの同一平面上のトッププレート３４を含むトッププレートユニットとを含む。トッププレート３４の一つは、自身を通る穴３１１が形成される。トッププレート３４の隣接するどの二つのものも、二つの実矧ぎ継ぎ係合ユニット３５によって取り外し可能に相互接続される。
【００１２】
図９を更に参照すると、サポートフレーム３３は、図５に示される折り畳まれていない状態と図９に示される折り畳まれた状態との間でそれぞれ変換可能な、一対の矩形の第一及び第二折り畳み式フレーム部材３３０を含む。第一及び第二折り畳み式フレーム部材３３０のそれぞれは、四つの平行な非折り畳み式プレート３３１と、三対の折り畳み式プレート３３２とを含む。非折り畳み式プレート３３２の二つの隣接するどのものも、第一及び第二折り畳み式フレーム部材３３０の対応するものが折り畳まれていない状態のときに、空きスペースを規定するよう、対応する一対の折り畳み式プレート３３２を枢動自在に相互接続する。そのようにして、第一及び第二折り畳み式フレーム部材３３０のそれぞれにおける空きスペース３３３は、非折り畳み式プレート３３１に垂直な方向に沿って一列に並んで配置される。トッププレート３４は、それぞれ、空きスペース３３３を覆う。折り畳み式プレート３３２のそれぞれは、対応する非折り畳み式プレート３３１に枢動自在に個々に接続される外端と、枢動自在に相互接続される内端とを有する二つの枢動自在のプレート部分３３４を含む。折り畳まれていない状態では、折り畳み式プレート３３２の枢動自在のプレート部分３３４は、非折り畳み式プレート３３１に垂直である。折り畳まれた状態では、折り畳み式プレート３３２の枢動自在のプレート部分３３４は、非折り畳み式プレート３３１に平行である。
【００１３】
図６及び８を詳細に参照すると、折り畳み式プレート３３２のそれぞれは、対応する折り畳み式プレート３３２の枢動自在のプレート部分３３４の一方に形成される位置決め穴３３５と、対応する折り畳み式プレート３３２の枢動自在のプレート部分３３４の他方から延び、かつ、第一及び第二折り畳み式フレーム部材３３０の対応するものが折り畳まれていない状態にあるときに、位置決め穴３３５をかみ合わせる位置決め突起３３６とを含む位置決めユニットを有する。枢動自在のプレート部分３３４のそれぞれは、対応する非折り畳み式プレート３３１の一端に枢動自在に接続され、各折り畳み式プレート３３２の枢動自在のプレート部分３３４は、第一及び第二折り畳み式フレーム部材３３０の対応するものが折り畳まれていない状態にあるときに、枢動自在のプレート部分３３４のそれぞれが、図７及び図８に示されるように、対応する非折り畳み式プレート３３１の他端に向かう方向だけに枢動可能であるような方法で相互接続される。第一及び第二折り畳み式フレーム部材３３０が完全に折り畳まれた場合、各折り畳み式プレート３３２の枢動自在のプレート部分３３４は、相互に隣接し、また、対応する非折り畳み式プレート３３１の間に挟まれる。この状態において、位置決め突起３３６は、図１０に示されるように、それぞれ、位置決め穴３３５から間隔を空けられる。
【００１４】
図９を詳細に参照すると、第一折り畳み式フレーム部材３３０は、四つのピボットユニットによって第二折り畳み式フレーム部材３３０の端に枢動自在に接続される端を有する。そのピボットユニットは、第一及び第二折り畳み式フレーム部材３３０の隣接する端に配置され、また、第一及び第二折り畳み式フレーム部材３３０の位置合わせされた上面に隣接する。ピボットユニットのそれぞれは、第一及び第二折り畳み式フレーム部材３３０の一方に配置された二つのサイドスリーブ３３７と、第一及び第二折り畳み式フレーム部材３３０の他方で、サイドスリーブ３３７の間に配置されたミドルスリーブ３３８と、サイドスリーブ３３７及びミドルスリーブ３３８を通って伸びるピボットピン３３９とを含む。そのようにして、折り畳み式フレーム部材３３０の一方は、第一及び第二折り畳み式フレーム部材３３０の他方の上面に対して隣接するよう、ピボットピン３３９の周りで枢動され得、それによって、それら自身の運搬及び保管中の利便性をもたらす。
【００１５】
代替的に、ベッド枠組み体３１は、折り畳み式フレーム部材３３０を一つだけ含むようにしてもよく、また、折り畳み式フレーム部材３３０は、空きスペースを一つだけ規定するために、二つの非折り畳み式プレート３３１、及び、非折り畳み式プレート３３１を相互接続する二つの折り畳み式プレート３３２だけを含んでもよい。
【００１６】
図１１を参照すると、本発明の第二の好適な実施例は、第一の好適な実施例と同様に構成される。この実施例において、第一の改良マットレスアセンブリ１’は同様に、トップシート１１、ボトムシート１２、二つの周囲シート（図示せず。）、及び、二つの補強ユニット（図示せず。）を含む。トップシート１１及びボトムシート１２は、それら周囲シートと協力して、相互に流体連通しない大空気室（Ｅ’）と小空気室（Ｅ’’）とを規定する。十分に膨張されると、大空気室（Ｅ’）の体積は、小空気室（Ｅ’’）の体積よりも大きい。それら補強ユニットは、それぞれ、大空気室（Ｅ’）内、及び、小空気室（Ｅ’’）内に配置される。それら周囲シートは、それぞれ、それらの補強ユニットの周りに配置される。そのようにして、マットレスアセンブリ１’は、大マットレス１０と小マットレス１０’とを有する。大マットレス１０及び小マットレス１０’のそれぞれは、それら周囲シートの個々のものを含み、大空気室（Ｅ’）、及び、小空気室（Ｅ’’）の個々のものを規定する。大マットレス１０及び小マットレス１０’は、それぞれ、一人の人間の体と頭とを支えるために使用される。
【００１７】
図１２を詳細に参照すると、この実施例において、電気式エアポンプユニット２は、ハウジング２０と、ハウジング２０内に配置された遠心式ポンプ装置２１と、ハウジング２０内に配置されたソレノイド式ダイアフラムポンプ装置２２と、ハウジング２０内に形成され、遠心式ポンプ装置２１と流体連通する第一転送室２３と、ハウジング２０内に形成され、第一転送室２３と流体連通する第二転送室２４と、クローズ位置にバイアスされ、第一転送室２３と第二転送室２４との間の流体連通を可能にすべくオープン位置に移動するよう作動する第一コントロールバルブ２５と、クローズ位置にバイアスされ、第二転送室２４とマットレスアセンブリ１’における大空気室（Ｅ’）及び小空気室（Ｅ’’）の個々のものとの間の流体連通を可能にすべくオープン位置に移動するよう作動する二つの第二コントロールバルブ２６と、センサ接続管２８を介して第二転送室２４と流体連通する圧力センサ２７とを含む。
【００１８】
遠心式ポンプ装置２１は、より速い流速で空気を流すためのより小さな推力（スラスト）を供給し、一方で、ダイアフラムポンプ装置２２は、より遅い流速で空気を流すためのより大きな推力を供給する点に留意すべきである。大空気室（Ｅ’）及び小空気室（Ｅ’’）のうちの選択されたものを十分に膨張させるための電気式エアポンプユニット２の効率を高めるために、大空気室（Ｅ’）及び小空気室（Ｅ’’）のうちの選択されたものがその完全に膨張した体積の約９０％に膨らむまで、遠心式ポンプ装置２１が最初に作動される。その後、ダイアフラムポンプ装置２２が、大空気室（Ｅ’）及び小空気室（Ｅ’’）のうちの選択されたものを十分に膨張させるために作動される。すなわち、遠心式ポンプ装置２１及びダイアフラムポンプ装置２２は、それぞれ、マットレスアセンブリ１’の初期の膨張、及び、その後の膨張を実行する。結果として、エアポンプユニット２は、大空気室（Ｅ’）及び小空気室（Ｅ’’）のうちの選択されたものを、同室内の空気圧を所望の圧力値まで正確に増大させるべく、高速に膨張させることができる。このようにして、この発明の目的は達成され得る。
【００１９】
大空気室（Ｅ’）及び小空気室（Ｅ’’）のうちの選択されたものを膨張させるために、遠心式ポンプ装置２１は作動し、第一コントロールバルブ２５及び対応する第二コントロールバルブ２６がオープンされる。それ故、空気は、遠心式ポンプ装置２１に引き入れられ、そしてその後、第一転送室２３及び第二転送室２４を介して、大空気室（Ｅ’）及び小空気室（Ｅ’’）のうちの選択されたものに押し込まれる。圧力センサ２７が、第二転送室２４内の空気圧が第一プリセット圧力値（例えば、４２０ｍｍＨｇ）に達したことを検出した場合、圧力センサ２７は、電線６を介してコントローラ５（図１５参照。）に信号を発する。コントローラ５がその信号を受信すると、遠心式ポンプ装置２１の作動を停止させ、第一バルブ２５をクローズさせ、かつ、圧力センサ２７が、大空気室（Ｅ’）及び小空気室（Ｅ’’）のうちの選択されたものの十分な膨張を完了させるための第二プリセット圧力値に第二転送室２４内の空気圧が到達したことを検出するまで、ポンプ接続管２９を介して第二転送室２４に空気を押し込むためにダイアフラムポンプ装置２２を作動させる。
【００２０】
図１３及び１４を更に参照すると、ダイアフラムポンプ装置２２は、バルブ穴２２１が形成されたバルブシート２２０と、ダイアフラムバルブ２２２と、ダイアフラムバルブ２２２に固定的に接続されたバルブロッド２２３と、バルブシート２２０におけるバルブ穴２２１をクローズさせるためにダイアフラムバルブ２２２をバイアスさせるコイル状の圧縮スプリング２２３’と、バルブロッド２２３を移動させるための駆動ユニットとを含む。その駆動ユニットは、バルブシート２２０に対して枢動自在であり、かつ、カム面２２５及び扇形歯車部分２２６を有するカム部材２２４と、その中心軸の周りを回転自在であり、かつ、扇形歯車２２６をかみ合わせるネジ部分２２７’を有する駆動ロッド２２７と、モータシャフト２２８’を有するモータ２２８と、モータシャフト２２８’の回転を駆動ロッド２２７に伝えるためにモータシャフト２２８’と駆動ロッド２２７とを相互接続するトランスミッションユニット２２９とを含む。バルブロッド２２３の端は、カム部材２２４のカム面２２５と接触させるために圧縮スプリング２２３’によってバイアスが掛けられている。駆動ロッド２２７及びモータシャフト２２８’は、ハウジング２０の取り付け壁２０’上に、軸頸（ジャーナル）設置される。そのトランスミッションユニットは、モータシャフト２２８’上に固定的に軸ざや（スリーブ）が設置された駆動プーリ２２９と、駆動ロッド２２７上に軸ざやが設置されたドリブンプーリ２２９’と、駆動プーリ２２９及びドリブンプーリ２２９’に向けられたトランスミッションベルト２２９’’とを含む。
【００２１】
図１５を更に参照すると、コントローラ５は、ディスプレイ５１と、ヘッド（頭）キー５２と、ボディ（体）キー５３と、確認キー５４と、微調節膨張キー５５と、微調節収縮キー５５’と、メイン膨張キー５６と、メイン収縮キー５７と、メモリキー５８と、ロックキー５９とを含む。キー５２、５３、５４、５５、５５’、５６、５７、５８、５９の操作は、図１６、１７、１８、１９及び２０で概説される。コントローラ５は、遠心式ポンプ装置２１、ダイアフラムポンプ装置２２、並びに、第一コントロールバルブ２５及び第二コントロールバルブ２６の操作を制御するために使用される。
【００２２】
マットレス１を膨張させたい場合、遠心式ポンプ装置２１の作動を通じて大空気室（Ｅ’）及び小空気室（Ｅ’’）を第一プリセット圧力値まで膨張させるためにメイン膨張キー５６が最初に押される。次に、ヘッド（頭）キー５２及びボディ（体）キー５３のうちの選択されたものが押され、そしてその後、大マットレス１０及び小マットレス１０’のうちの選択されたものの柔らかさを選択するために確認キー５４が操作される。確認キー５４の操作中、確認キー５４が一回押されたときに単語“ＦＩＲＭ（堅い）”がディスプレイ５１に表示され、確認キー５４が二回押されたときに単語“ＭＥＤＩＵＭ（中位）”がディスプレイ５１に表示され、また、確認キー５４が三回押されたときに単語“ＰＬＵＳＨ（プラッシュ）”がディスプレイ５１に表示される。その後、必要であれば、ダイアフラムポンプ装置２２の作動を通じて大マットレス１０及び小マットレス１０’のうちの選択されたものにおける空気圧を微調節するために微調節膨張キー５５又は微調節収縮キー５５’が押されてもよい。確認キー５４の操作中に“ＦＩＲＭ”が選択された場合、大空気室（Ｅ’）及び小空気室（Ｅ’’）のうちの選択されたものは、完全に膨張させられ得る。
【００２３】
大マットレス１０及び小マットレス１０’のうちの選択されたものを収縮させたい場合、第一コントロールバルブ２５と対応する第二コントロールバルブ２６とをオープンさせるために（それにより、大マットレス１０及び小マットレス１０’のうちの選択されたものから、第一コントロールバルブ２５及び遠心式ポンプ装置２１を介してハウジング２０の外に空気が流れるようにする。）、ヘッドキー５２及びボディキー５３のうちの対応するものが押される。
【００２４】
大マットレス１０及び小マットレス１０’のうちの選択されたものの柔らかさを増大させたい場合、ヘッドキー５２及びボディキー５３の対応するものが押され、かつ、微調整収縮キー５５’が操作される。微調整収縮キー５５’が押されると、第一コントロールバルブ２５及び対応する第二コントロールバルブ２６は、大マットレス１０及び小マットレス１０’のうちの選択されたものから空気が流出できるように、オープンされる。微調整収縮キー５５’が離されると、第一コントロールバルブ２５及び対応する第二コントロールバルブ２６は、クローズされる。
【００２５】
第一プリセット圧力値を変えたい場合、メモリキー５８が操作される。
【００２６】
コントロールパネル５は、ロックキー５９を押すことで、ロック状態とアンロック状態との間を切り換え可能である。ロック状態では、残りのキー５２、５３、５４、５５、５５’、５６、５７、５８の何れかが押された場合であっても（例えば、無意識に）、操作が実行されず、また、マットレスアセンブリ１は、その現在の状態を保つ。
【００２７】
図２１は、二つのマットレス接続管２８’（一つだけが示されている。）を通じて、それぞれ、大マットレス１０及び小マットレス１０’と圧力センサ２７が流体連通であることを除き、電気式エアポンプユニット２（図１２参照。）と同様に構成される、改良エアポンプユニット２’を示す。そのようにして、大マットレス１０及び小マットレス１０’における空気圧は、正確に測定され得る。
【００２８】
図２２を参照すると、本発明の第三の好適な実施例は、第二の好適な実施例と同様に構成される。この実施例において、第二の改良マットレスアセンブリ１’’は、四つの周囲シート（図示せず。）及び四つの補強ユニット（図示せず。）と、ヘッドキー５２（図１５参照。）を置き換えるための一対の左右ヘッドキー（図示せず。）を含むコントロールパネルと、ボディキー５３（図１５参照。）を置き換えるための一対の左右ボディキー（図示せず。）と、を含む。トップシート１１及びボトムシート１２は、二つの並置された大空気室（Ｅ’）と二つの並置された小空気室（Ｅ’’）とを規定するために、それら周囲シートと協働する。大空気室（Ｅ’）及び小空気室（Ｅ’’）は、マトリックス配置される。それら補強ユニットは、それぞれ、大空気室（Ｅ’）内及び小空気室（Ｅ’’）内に配置される。それら周囲シートは、それぞれ、それら補強ユニットの周りに配置される。そのようにして、マットレスアセンブリ１’’は、二つの大マットレス１０及び二つの小マットレス１０’を有する。大マットレス１０及び小マットレス１０’のそれぞれは、それら周囲シートの個々のものを含み、また、大空気室（Ｅ’）及び小空気室（Ｅ’’）の個々のものを規定する。大マットレス１０及び小マットレス１０’の揃えられた各対は、それぞれ一人の人間の体と頭とを支えるために使用されてもよい。別の言い方をすれば、マットレスアセンブリ１’’は、二人の人間を支えることができる。
【００２９】
この実施例において、図２３を更に参照すると、マットレスアセンブリ１’’は、大空気室（Ｅ’）及び小空気室（Ｅ’’）（三つだけが示される。）とそれぞれ流体連通する四つの空気路（Ａ）（三つだけが示される。）を含む。空気路（Ａ）のそれぞれは、内部ネジ接続端（Ａ’）を有する。電気式エアポンプユニット２は、マットレスアセンブリ１’’の空気路（Ａ）の接続端（Ａ’）をそれぞれネジ止め可能にかみ合わせる四つの外部ネジ接続端（Ｂ）を含む。電気ソケットユニット（Ｃ）は、ベッド枠組みアセンブリ３の横壁３０に配置される。電線ユニット（Ｗ）は、電気ソケットユニット（Ｃ）と電気式エアポンプユニット２とを電気的に相互接続する。
【００３０】
図２４及び２５を参照すると、本発明の第四の好適な実施例は、第一の好適な実施例と同様に構成される。この実施例において、第三の改良マットレスアセンブリ１Ａは、トップシート１１と、ボトムシート１２と、空気室（Ｅ）を規定するためにトップシート１１とボトムシート１２とを相互接続する周囲シート１３と、複数のプルベルト１４１及び周囲ベルト１４２で構成される補強ユニット１４とを含む。この実施例では、マットレスアセンブリ１Ａが単一の空気室（Ｅ）で形成されるため、第二転送室２４（図１２参照。）は、空気室（Ｅ）と直接的に流体連通し、また、第二コントロールバルブ２６は、電気式エアポンプユニット２の構成から省かれる。
【００３１】
所望の体積に空気室（Ｅ）を膨張させるべく、その所望の体積の約９０％に高速で空気室（Ｅ）が膨らませられるまで、遠心式ポンプ装置２１（図１２参照。）が最初に作動され得る。その後、その所望の体積まで低速で空気室（Ｅ）を正確に膨張させるためにダイアフラムポンプ装置２２（図１２参照。）が作動される。
【００３２】
このようにして本発明が説明されたが、本発明の範囲及び精神から逸脱すること無しに、多くの改良例及び変形例が実現され得ることは明らかである。従って、本発明は、添付の請求項によって示されたようにのみ限定されることを意図する。
【図面の簡単な説明】
【００３３】
【図１】本発明に従った可膨張式ベッドの第一の好適な実施例（電気式エアポンプユニットが除かれている。）の部分的な分解斜視図である。
【図２】第一の好適な実施例におけるコーナー位置決め部材の斜視図である。
【図３】第一の好適な実施例における、マットレスアセンブリ及び電気式エアポンプユニットの組み立て斜視図である。
【図４】第一の好適な実施例におけるベッド枠組みアセンブリの部分的な分解斜視図である。
【図５】折り畳まれていない状態にある、第一の好適な実施例におけるベッド枠組みアセンブリのサポートフレームの斜視図である。
【図６】折り畳まれていない状態にある、第一の好適な実施例におけるサポートフレームの折り畳み式フレーム部材の折り畳み式プレートの部分的な斜視図である。
【図７】半ば折り畳まれた状態にある、第一の好適な実施例における折り畳み式フレーム部材の斜視図である。
【図８】半ば折り畳まれた状態にある、第一の好適な実施例における折り畳み式プレートの部分的な斜視図である。
【図９】完全に折り畳まれた状態にある、第一の好適な実施例におけるサポートフレームの部分的な分解斜視図である。
【図１０】完全に折り畳まれた状態にある、第一の好適な実施例における折り畳み式プレートの部分的な斜視図である。
【図１１】本発明に従った可膨張式ベッドの第二の好適な実施例におけるマットレスアセンブリの組み立て斜視図である。
【図１２】第一の好適な実施例における電気式エアポンプユニットの組み立て斜視図である。
【図１３】第二の好適な実施例における電気式エアポンプユニットのソレノイド式ダイアフラム装置の部分的な横断面図であり、オープンされた状態にあるダイアフラムバルブを示す。
【図１４】図１３と同様の図であるが、クローズされた状態にあるダイアフラムバルブを示す。
【図１５】第二の好適な実施例におけるコントローラの概略図である。
【図１６】ヘッドキー、ボディキー、確認キー、微調整膨張キー及び微調整収縮キーのそれぞれの押下に応じた、第二の好適な実施例における操作を示すフローチャートである。
【図１７】メイン膨張キーの押下に応じた第二の好適な実施例における操作を示すフローチャートである。
【図１８】収縮キーの押下に応じた第二の好適な実施例における操作を示すフローチャートである。
【図１９】メモリキーの押下に応じた第二の好適な実施例における操作を示すフローチャートである。
【図２０】ロックキーの押下に応じた第二の好適な実施例における操作を示すフローチャートである。
【図２１】改良された電気式エアポンプユニットを示す概略図である。
【図２２】本発明に従った可膨張式ベッドの第三の好適な実施例における、マットレスアセンブリ及び電気式エアポンプユニットの組み立て斜視図である。
【図２３】第三の好適な実施例におけるマットレスアセンブリと電気式エアポンプユニットとの間の接続を示す概略図である。
【図２４】本発明に従った可膨張式ベッドの第四の好適な実施例における、マットレスアセンブリの分解斜視図である。
【図２５】第四の好適な実施例におけるマットレスアセンブリ及び電気式エアポンプユニットの組み立て斜視図である。
【図１】
2008119473.tif 000003
【図２】
2008119473.tif 000004
【図３】
2008119473.tif 000005
【図４】
2008119473.tif 000006
【図５】
2008119473.tif 000007
【図６】
2008119473.tif 000008
【図７】
2008119473.tif 000009
【図８】
2008119473.tif 000010
【図９】
2008119473.tif 000011
【図１０】
2008119473.tif 000012
【図１１】
2008119473.tif 000013
【図１２】
2008119473.tif 000014
【図１３】
2008119473.tif 000015
【図１４】
2008119473.tif 000016
【図１５】
2008119473.tif 000017
【図１６】
2008119473.tif 000018
【図１７】
2008119473.tif 000019
【図１８】
2008119473.tif 000020
【図１９】
2008119473.tif 000021
【図２０】
2008119473.tif 000022
【図２１】
2008119473.tif 000023
【図２２】
2008119473.tif 000024
【図２３】
2008119473.tif 000025
【図２４】
2008119473.tif 000026
【図２５】
2008119473.tif 000027
【外国語明細書】
2008119473.tif 000028
2008119473.tif 000029
2008119473.tif 000030
2008119473.tif 000031
2008119473.tif 000032
2008119473.tif 000033
2008119473.tif 000034
2008119473.tif 000035
2008119473.tif 000036
2008119473.tif 000037
2008119473.tif 000038
2008119473.tif 000039
2008119473.tif 000040
2008119473.tif 000041
2008119473.tif 000042
2008119473.tif 000043
2008119473.tif 000044
2008119473.tif 000045
2008119473.tif 000046
2008119473.tif 000047
2008119473.tif 000048
2008119473.tif 000049
2008119473.tif 000050
2008119473.tif 000051
2008119473.tif 000052
2008119473.tif 000053
2008119473.tif 000054
2008119473.tif 000055
2008119473.tif 000056
2008119473.tif 000057
2008119473.tif 000058
2008119473.tif 000059
2008119473.tif 000060
2008119473.tif 000061
【図１】
2008119473.tif 000062
【図２】
2008119473.tif 000063
【図３】
2008119473.tif 000064
【図４】
2008119473.tif 000065
【図５】
2008119473.tif 000066
【図６】
2008119473.tif 000067
【図７】
2008119473.tif 000068
【図８】
2008119473.tif 000069
【図９】
2008119473.tif 000070
【図１０】
2008119473.tif 000071
【図１１】
2008119473.tif 000072
【図１２】
2008119473.tif 000073
【図１３】
2008119473.tif 000074
【図１４】
2008119473.tif 000075
【図１５】
2008119473.tif 000076
【図１６】
2008119473.tif 000077
【図１７】
2008119473.tif 000078
【図１８】
2008119473.tif 000079
【図１９】
2008119473.tif 000080
【図２０】
2008119473.tif 000081
【図２１】
2008119473.tif 000082
【図２２】
2008119473.tif 000083
【図２３】
2008119473.tif 000084
【図２４】
2008119473.tif 000085
【図２５】
2008119473.tif 000086